(57)【要約】      （修正有）【課題】車両後退する際の後方確認時の視認性を確保するとともに、車両後退時も後部座席の乗員が映像を継続して楽しむことのできる車載用表示装置、これを制御する表示制御装置、表示制御方法および制御プログラムを提供する。【解決手段】所定の大きさの表示領域を有する車載用表示装置１２を制御する表示制御装置４０に、車両の後退を検出する後退検出部４１ｂと、車両の後退が検出されると、外部から入力した画像信号に対して、所定の大きさの表示領域よりも小さい領域に画像信号に対応する画像を表示させるように縮小表示処理を施す信号処理部４６とを備えさせる。【選択図】図２
2007230401.tif 000002
【特許請求の範囲】
【請求項１】
所定の大きさの表示領域を有する車載用表示装置を制御する表示制御装置であって、
車両の後退を検出する後退検出部と、
前記車両の後退が検出されると、外部から入力した画像信号に対して、前記所定の大きさの表示領域よりも小さい領域に前記画像信号に対応する画像を表示させるように縮小表示処理を施す信号処理部と、
を備えたことを特徴とする表示制御装置。
【請求項２】
請求項１記載の表示制御装置において、
前記車両の周囲の明るさを判別する明るさ判別部を備え、
前記信号処理部は、前記車両の周囲の明るさが所定の明るさよりも暗いと判別された場合に、前記車両の後退が検出されると、前記縮小表示処理を施すこと、
を特徴とする表示制御装置。
【請求項３】
請求項１または２に記載の表示制御装置において、
前記画像信号に対応する画像を前記表示装置に表示させる位置をユーザが指定するための位置指定部を備え、
前記信号処理部は、前記縮小表示処理を施した画像信号に対応する画像を前記位置指定部により指定された位置に表示されるように位置調整処理を併せて行うこと、
を特徴とする表示制御装置。
【請求項４】
請求項１〜３のいずれか一項に記載の表示制御装置において、
前記画像信号に対応する画像を前記表示装置に表示させる領域の大きさをユーザが指定するためのサイズ指定部を備え、
前記信号処理部は、前記サイズ指定部により指定された領域の大きさに前記画像が表示されるように、前記画像信号に対して前記縮小表示処理を施すこと、
を特徴とする表示制御装置。
【請求項５】
請求項１〜４のいずれか一項に記載の表示制御装置において、
前記信号処理部は、前記表示装置に表示される画像が前記車両の後部座席側のガラスに映り込む場合に、前記画像信号に対して前記縮小表示処理を施すこと、
を特徴とする表示制御装置。
【請求項６】
請求項１〜５のいずれか一項に記載の表示制御装置において、
前記信号処理部は、前記縮小表示処理を施した画像信号に対応する画像を表示させる際に、ユーザに車両が後退する旨を報知する表示を前記表示装置に行わせる報知処理を行うこと、
を特徴とする表示制御装置。
【請求項７】
請求項１〜６のいずれか一項に記載の表示制御装置と、所定の大きさの表示領域を有する表示部とを備えたことを特徴とする車載用表示装置。
【請求項８】
所定の大きさの表示領域を有する車載用表示装置を制御するための表示制御方法であって、
車両の後退を検出する過程と、
前記車両の後退が検出されると、外部から入力した画像信号に対して、前記所定の大きさの表示領域よりも小さい領域に前記画像信号に対応する画像を表示させるように縮小表示処理を施す過程と、
を備えたことを特徴とする表示制御方法。
【請求項９】
車両の後退を検出する後退検出部と、外部から入力した画像信号に対して縮小表示処理を施す信号処理部とを備え、所定の大きさの表示領域を有する車載用表示装置を制御するための表示制御装置をコンピュータを用いて制御するための制御プログラムであって、
前記後退検出部に、車両の後退を検出させ、
前記信号処理部に、前記車両の後退が検出されると、外部から入力した画像信号に対して、前記所定の大きさの表示領域よりも小さい領域に前記画像信号に対応する画像を表示させるように縮小表示処理を施させること、
を特徴とする制御プログラム。
【発明の詳細な説明】
【技術分野】
【０００１】
本発明は、車載用表示装置の表示制御を行う表示制御装置、車載用表示装置、表示制御方法および制御プログラムに関する。
【背景技術】
【０００２】
近年、車内に前部座席用のモニタに加えて、後部座席用のモニタも設け、後部座席の乗員も車内で映像を楽しめるようにしたリアエンターテイメントシステムが普及し始めている。このようなリアエンターテイメントシステムでは、後部座席の乗員が視認する後部座席用のモニタには、テレビチューナ、車載のＤＶＤ（Digital Versatile Disk）再生装置またはゲーム機から与えられる映像等を表示させることが行われている。
【０００３】
上記のような、リアエンターテイメントシステムにおいて、夜間等、車両の周囲が暗い状況では、昼間に比してモニタの輝度を低下させている。これにより、モニタ表示の際の明かりにより車外より車内が明るくなりすぎて車外の視認性が低下することを防止している。また、夜間等における車両後退時に、後部座席用のモニタの表示を停止させて、輝度を更に低下させて、後部座席用のモニタに表示された映像等が後部座席側のガラスに映り込むのを防止して、後方確認の妨げとならないようにすることが行われている（例えば、特許文献１参照）。
【特許文献１】特開２００３−３２７０４４号公報
【発明の開示】
【発明が解決しようとする課題】
【０００４】
しかしながら、後部座席の乗員は、運転の状況によらず、後部座席用のモニタに表示される映像等に集中している場合があるので、後部座席用のモニタの表示が停止し、輝度が急激に落ちると、違和感を生じさせることになっていた。特に、テレビ放送を表示させていた場合には、モニタの表示が突然停止すると、その間の映像を楽しむことができず、後部座席の視聴者にとっては不満が生じる結果となっていた。
【０００５】
本発明の課題は、車両後退する際の後方確認時の視認性を確保するとともに、車両後退時も後部座席の乗員が映像を継続して楽しむことのできる車載用表示装置、これを制御する表示制御装置、表示制御方法および制御プログラムを提供することにある。
【課題を解決するための手段】
【０００６】
上記課題を解決するため、本発明の表示制御装置は、所定の大きさの表示領域を有する車載用表示装置を制御する表示制御装置であって、車両の後退を検出する後退検出部と、前記車両の後退が検出されると、外部から入力した画像信号に対して、前記所定の大きさの表示領域よりも小さい領域に前記画像信号に対応する画像を表示させるように縮小表示処理を施す信号処理部と、を備えたことを特徴とする。
この構成によれば、後退検出部により車両の後退が検出された場合に、信号処理部は外部から入力した画像信号に対して、車両のガラスに対する映り込みによる影響を低減すべく所定の大きさの表示領域よりも小さい領域に表示させるように、縮小表示処理を施す。このため、車両のフロント／リアドアガラス、サイドガラス、リアガラス等、車両に設けられるガラスに表示装置に表示された画像（映像）が映り込んで、後方確認の妨げとならないようにすることができるので、車両後退する際の運転者の後方確認時の視認性を確保することができる。また、表示装置には、通常の大きさの表示領域よりも小さい領域になるものの、継続して画像が表示され、また、輝度の急激な低下もないため、車両後退時も後部座席の乗員が表示装置に表示される画像を継続して楽しむことができる。
【０００７】
上記構成の表示制御装置において、前記車両の周囲の明るさを判別する明るさ判別部を備えさせ、前記信号処理部に、前記車両の周囲の明るさが所定の明るさよりも暗いと判別された場合に、前記車両の後退が検出されると、前記縮小表示処理を施させることが好ましい。
【０００８】
また、上記構成の表示制御装置において、前記画像信号に対応する画像を前記表示装置に表示させる位置をユーザが指定するための位置指定部を備えさせ、前記信号処理部に、前記縮小表示処理を施した画像信号に対応する画像を前記位置指定部により指定された位置に表示されるように位置調整処理を併せて行わせることが好ましい。
【０００９】
また、上記構成の表示制御装置において、前記画像信号に対応する画像を前記表示装置に表示させる領域の大きさをユーザが指定するためのサイズ指定部を備えさせ、前記信号処理部に、前記サイズ指定部により指定された領域の大きさに前記画像が表示されるように、前記画像信号に対して前記縮小表示処理を施させることが好ましい。
【００１０】
上記構成の表示制御装置において、前記信号処理部に、前記表示装置に表示される画像が前記車両の後部座席側のガラスに映り込む場合に、前記画像信号に対して前記縮小表示処理を施させることが好ましい。
【００１１】
上記構成の表示制御装置において、前記信号処理部に、前記縮小表示処理を施した画像信号に対応する画像を表示させる際に、ユーザに車両が後退する旨を報知する表示を前記表示装置に行わせる報知処理を行わせることが好ましい。
【００１２】
また、本発明の車載用表示装置は、上記いずれかの構成の表示制御装置と、所定の大きさの表示領域を有する表示部とを備えたことを特徴とする。
【００１３】
また、本発明の表示制御方法は、所定の大きさの表示領域を有する車載用表示装置を制御するための表示制御方法であって、車両の後退を検出する過程と、前記車両の後退が検出されると、外部から入力した画像信号に対して、前記所定の大きさの表示領域よりも小さい領域に前記画像信号に対応する画像を表示させるように縮小表示処理を施す過程と、を備えたことを特徴とする。
【００１４】
また、本発明の制御プログラムは、車両の後退を検出する後退検出部と、外部から入力した画像信号に対して縮小表示処理を施す信号処理部とを備え、所定の大きさの表示領域を有する車載用表示装置を制御するための表示制御装置をコンピュータを用いて制御するための制御プログラムであって、前記後退検出部に、車両の後退を検出させ、前記信号処理部に、前記車両の後退が検出されると、外部から入力した画像信号に対して、前記所定の大きさの表示領域よりも小さい領域に前記画像信号に対応する画像を表示させるように縮小表示処理を施させること、を特徴とする。
【発明の効果】
【００１５】
本発明によれば、車両後退する際の後方確認時の視認性を確保するとともに、車両後退時も後部座席の乗員が表示装置に表示される映像を継続して楽しむことができる。
【発明を実施するための最良の形態】
【００１６】
以下、図面を参照して本実施の形態の表示制御装置を説明する。
まず、図１を参照して本実施の形態の表示制御装置が適用される車載映像表示システムについて説明する。
【００１７】
図１に示すように、車載映像表示システム１は、複数の表示装置１１、１２を備えて構成される。本実施の形態では、車両１００の前部座席１０１側に配置されるフロントシート用表示装置１１と後部座席１０２側に配置されるリアシート用表示装置１２とが設けられている。
【００１８】
フロントシート用表示装置１１は、例えば、コンソール、フロントパネル等に配置されるもので、主に運転席や助手席の前部座席１０１の乗員が視認するものである。一方、リアシート用表示装置１２は、車室内の天井部から支持具を介して吊り下げられて配置されたり、フロントシートのシートバック部、ヘッドレスト背面等に配置されるもので、後部座席１０２の乗員が主に視認するものである。
【００１９】
また、車室内には、ドア部などにスピーカ２１が配設され、それぞれの表示装置１１、１２に表示される映像とともに音声を楽しむことができるようになっており、音声はヘッドフォン２２を通して聞くこともできるようになっている。
【００２０】
次に、図２に車載映像表示システム１の機能的構成を示す。図２に示すように、車載映像表示システム１は、上記フロントシート用表示装置１１およびリアシート用表示装置１２、スピーカ２１、ヘッドフォン２２等を備える音声ユニット２０の他に、テレビチューナ３１と、ディスク再生装置３２とナビゲーション装置３３と、ラジオチューナ３４と、操作ユニット３５と、表示制御装置４０とを備えている。本実施の形態の車載映像表示システム１では、この表示制御装置４０により、両表示装置１１、１２に表示される画像の大きさ等を制御して、主として車両１００の後部座席１０２側のガラスへの画像の映り込みによる運転者の後方確認時の車外の視認性に対する影響を低減するようにしたものである。
【００２１】
テレビチューナ３１は、アンテナ３１ａ等を備え、アンテナ３１ａを介して受信したテレビ放送電波から映像信号および音声信号等を取得して、表示制御装置４０に出力するものである。
【００２２】
ディスク再生装置３２は、ＤＶＤ（Digital Versatile Disk）プレーヤー、ハードディスク装置等の、各種記録媒体に記録された画像信号および音声信号等を読み出して表示制御装置４０に出力するものである。
【００２３】
ナビゲーション装置３３は、ＧＰＳ（Global Positioning System）アンテナ３３ａ等を備え、ＧＰＳアンテナ３３ａを介して受信したＧＰＳ電波に基づいて検出した車両１００の現在位置に基づき、目的地までの経路案内を行う装置であり、経路案内に伴う地図情報等の画像信号および音声信号を表示制御装置４０に出力するものである。
【００２４】
ラジオチューナ３４は、アンテナ３４ａ等を備え、アンテナ３４ａを介して受信したラジオ放送電波から音声信号等を取得して、表示制御装置４０を介して音声ユニット２０に出力するものである。
【００２５】
操作ユニット３５は、ユーザからの各種操作を受け付けるもので、フロントシート用表示装置１１およびリアシート用表示装置１２に表示させる画像信号源として、テレビチューナ３１、ディスク再生装置３２、ナビゲーション装置３３のいずれかを選択するための操作ボタン、あるいは音声信号源としてのラジオチューナ３４を選択するための操作子、表示装置１１、１２に画像を表示させる位置を指定するための操作子、表示装置１１、１２に画像を表示させる際の領域（サイズ）を指定するための操作子、表示装置１１、１２に画像を表示させる際の輝度を指定するための操作子等の各種操作子を有している。
【００２６】
音声ユニット２０は、上記スピーカ２１、リアシート用のヘッドフォン２２の他、増幅器２３を備えて構成される。表示制御装置４０から出力される各種音声信号源（テレビチューナ３１、ディスク再生装置３２、ナビゲーション装置３３、ラジオチューナ３４）の音声信号を増幅器２３により増幅してスピーカ２１から出力させたり、リアシート用のヘッドフォン２２から出力させたりする。
【００２７】
フロントシート用表示装置１１およびリアシート用表示装置１２はそれぞれ液晶ディスプレイ等から構成され、図３（ａ）に示す様に所定の大きさの表示領域Ｒ（以下、「通常の大きさの表示領域」という。）を有している。表示領域Ｒ内にはそれぞれ異なる画像信号源からの画像信号に対応する画像を表示させることもできるし、同じ画像信号源からの画像信号に対応する画像を表示させることもできる。すなわち、フロントシート用表示装置１１に、ナビゲーション装置３３から出力される目的地までの経路案内のための画像を表示させ、リアシート用表示装置１２には、テレビチューナ３１またはディスク再生装置３２から出力されるテレビ放送またはＤＶＤ等に記録された映画等の画像を表示させることができる。
【００２８】
表示制御装置４０は、図２に示すように、制御部４１と、記録部４２と、音声信号選択部４３と、映像信号選択部４４と、画像処理部４５、４６（信号処理部）とを備え、上記の各表示装置１１、１２に画像を表示させる際に、操作ユニット３５を介してユーザから指定された画像信号源から出力される画像信号に対応する画像を表示させるとともに、画像信号に対応する画像を表示させる領域を制御したり、画像信号に対応する画像を表示させる位置を制御する等、表示装置１１、１２の表示に関する各種制御を行う装置である。
【００２９】
制御部４１は、図示しないＣＰＵ、ＲＡＭ、ＲＯＭ等により構成され、ＲＯＭに格納された各種制御プログラムをＲＡＭに読み出して、ＲＡＭの一部を作業領域として、表示制御装置４０の各部を集中制御して、後述する縮小表示処理、位置調整処理、輝度調整処理等の各種の処理を実行するものである。
【００３０】
制御部４１の機能的構成として、明るさ判別部４１ａと、後退検出部４１ｂと、表示制御部４１ｃとを備える。
明るさ判別部４１ａは、車両１００のスモールライト（ヘッドライト）（図示略）の点灯により出力されるイルミ信号ＳＩが入力されるものであり、これにより車両１００の周囲の明るさが所定の明るさよりも明るいか否かを判別するものである。イルミ信号ＳＩが入力されると、明るさ判別部４１ａは、車両１００の周囲が所定の明るさよりも暗いと判別し、その判別信号を表示制御部４１ｃに出力する。
【００３１】
後退検出部４１ｂは、車両１００のギアがリバース位置（後退位置）に設定された際にリバース信号ＳＲが入力されるもので、リバース信号ＳＲが入力されると車両１００の後退を検出して、検出信号を表示制御部４１ｃに出力する。
【００３２】
表示制御部４１ｃは、後退検出部４１ｂより検出信号が入力されると、所定の条件に基づき、画像処理部４５、４６に縮小表示処理を行わせるための縮小表示指示信号や、輝度調整処理を行わせるための輝度調整指示信号、位置調整処理を行わせるための位置調整指示信号等の各種制御信号を出力する。
【００３３】
記録部４２は、テレビチューナ３１から受信する画像信号、音声信号等、当該表示制御装置４０に接続される上記各種画像信号源、音声信号源から入力する画像信号、音声信号等の各種データを記録するもので、ハードディスク、半導体メモリ等から構成される。
【００３４】
音声信号選択部４３は、制御部４１から入力される音声信号選択信号に従い、所定の音声信号源から出力される音声信号を増幅器で増幅してスピーカ２１出力させたり、後部座席１０２の乗員用の音声出力装置としてのヘッドフォン２２に出力するものである。音声信号選択部４３は、スピーカ２１およびヘッドフォン２２に出力する音声信号をそれぞれ独立して選択することができるように設定されている。
【００３５】
映像信号選択部４４は、制御部４１から入力される映像信号選択信号に従い、所定の画像信号源から出力される画像信号を所定の画像処理部４５または４６に出力し、所定の表示装置１１または１２に所定の画像信号源から出力される画像信号に対応する画像を表示させるようにするものである。映像信号選択部４４は、フロントシート用表示装置１１およびリアシート用表示装置１２に出力する画像信号をそれぞれ独立して選択することができるように設定されている。
【００３６】
画像処理部４５、４６のうち、一方の画像処理部４５はフロントシート用画像処理部４５としてフロントシート用表示装置１１に対応して設けられる。他方の画像処理部４６は、リアシート用画像処理部４６としてリアシート用表示装置１２に対応して設けられる。両画像処理部４５、４６は、表示制御部４１ｃから入力される制御信号に基づき、映像信号選択部４４から入力する画像信号に対して各種の画像処理を施す。
【００３７】
表示制御部４１ｃから入力される制御信号には、上述のように、縮小表示指示信号、位置調整指示信号、輝度調整指示信号等がある。
【００３８】
縮小表示指示信号が入力された場合、画像処理部４５、４６は縮小表示処理を実行する。縮小表示処理では、車両１００の主として後部座席１０２側のガラスへの映り込みによる運転者の後方確認時の車外の視認性への影響を低減すべく、リアシート用表示装置１２の通常の大きさの表示領域Ｒ（図３（ａ）参照）よりも小さい領域Ｓ（図３（ｂ）参照）に画像信号が表示されるように、画像信号源から入力する画像信号に対して表示される画像の大きさが図４（ｂ）に示す領域Ｓの大きさになるように画像処理を施す。
【００３９】
縮小表示処理において、本実施の形態では、図３（ｂ）に示すように、通常の大きさの表示領域Ｒの１／４の大きさの領域Ｓに画像が表示されるように画像信号に対して画像処理を施すようにデフォルトで設定されている。リアシート用表示装置１２に画像を表示させる領域Ｓの大きさは、リアシート用表示装置１２が配置される位置によって、車両１００のガラスへの映り込みによる運転者の後方確認時の車外の視認性の影響が低減されるような大きさに調整することができる。図３（ｃ）に示すように、ユーザは操作ユニット３５を介して操作を行うことにより、例えば、画像信号に対応する画像を表示させる領域Ｓの四方を囲むサイズ変更線Ｌを表示装置１１、１２に表示させ、このサイズ変更線Ｌを図中矢印で示す上下左右方向あるいは、対角線の延長線方向に操作することにより、縮小表示処理において画像信号に対応する画像を表示させる領域Ｓのサイズを任意の大きさに指定することができる。
【００４０】
表示位置調整信号が画像処理部４５、４６に入力された場合、画像処理部４５、４６は、表示位置調整処理を実行し、指定された位置に指定されたサイズで画像信号が表示されるように、画像信号の表示位置の調整を行う。ユーザは、例えば、図４（ｄ）に示すように、操作ユニット３５を介して画像を表示させる位置を任意の位置に指定することができる。これにより、ユーザは画像を視認しやすい位置に移動させたり、車両１００のガラスに画像が映り込む位置を調整して運転者の後方確認の際の妨げとならない位置に移動させたりすることができる。
【００４１】
輝度調整指示信号が画像処理部４５、４６に入力された場合、画像処理部４５、４６は輝度調整処理を実行し、指定された輝度で画像信号が表示されるように、画像信号に対して画像処理を施す。両表示装置１１、１２に画像が表示される際の輝度は、昼間に表示を行う際の輝度と、夜間に表示を行う際の輝度が予め所定の値に設定されている。また、ユーザは操作ユニット３５を介して、画像を表示させる際の輝度の値を指定することができる。
【００４２】
明るさ判別部４１ａにより車両１００の周囲の明るさが所定の明るさよりも暗いと判別された場合（例えば、夜間等）には、画像処理部４５、４６に輝度調整指示信号が入力され、両表示装置１１、１２に画像を表示させる際の輝度を夜間の値として設定された値にする。夜間に表示を行う際の輝度は、昼間の値よりも低く設定されており、これにより、画像表示の際の明かりにより車内が明るくなりすぎて車外の視認性が低下するのを防止している。また、縮小表示処理時にユーザからの指定があれば、更に指定された輝度で画像を表示させるように処理を行う。
【００４３】
次に、図４を参照して表示制御装置４０において実行される縮小表示処理を説明する。
図４に示すように、リアシート用表示装置１２に、画像表示がなされると、制御部４１は後退検出部４１ｂにリバース信号ＳＲが入力されたか否かを検出する（ステップＳ１）。後退検出部４１ｂに車両１００からリバース信号ＳＲが入力されると車両１００の後退が検出され（ステップＳ１：Ｙ）、リアシート用画像処理部４６はリアシート用表示装置１２に表示させる画像信号に画像処理を施して、通常の大きさの表示領域Ｒよりも小さい領域Ｓに画像を表示させるように縮小表示処理を行う（ステップＳ２）。
【００４４】
但し、ステップ２において、画像を表示させる領域Ｓは、ユーザによりサイズが指定されている場合には指定されたサイズで表示し、サイズの指定がない場合にはデフォルトで設定されている大きさ（通常のサイズの１／４の大きさ）で表示させる。また、表示させる位置がユーザにより指定されている場合には指定された位置に表示し、特に指定がない場合には、表示領域Ｒの中央部に表示させる。また、輝度の指定がある場合には、指定された輝度で画像を表示する。
【００４５】
また、ステップＳ２において、ユーザに対して、車両が後退する旨を報知する表示をリアシート用表示装置１２に行ってもよい。
【００４６】
一方、車両１００の後退が検出されない場合は（ステップＳ２：Ｎ）、画像信号源から入力される画像信号を通常の大きさの表示領域Ｒに表示させる（ステップＳ３）。以上の処理は、リアシート用表示装置１２に画像表示が行われている限り（ステップＳ４：Ｙ）、継続して行われ、画像表示が行われない場合（ステップＳ４：Ｎ）には本処理は終了する。
【００４７】
以上説明した実施の形態によれば、後退検出部４１ｂにより車両１００の後退が検出された場合に、リアシート用画像処理部４６は画像信号源から入力した画像信号を通常の大きさの表示領域Ｒよりも小さい領域Ｓに表示させるように、縮小表示処理を施す。このため、車両１００のリアドアガラス、サイドガラス、リアガラス等の後部座席１０２側に設けられるガラスにリアシート用表示装置１２に表示された画像（映像）が映り込んだ場合でも、その大きさ（面積）が小さくなるので、後方確認時の車外の視認性への影響を低減し、後方確認の妨げとならないようにすることができる。
【００４８】
また、上記実施の形態によれば、ユーザが操作ユニット３５を介して操作することにより、画像縮小処理を実行させる際に任意の大きさに画像を表示させることができる。また、上記実施の形態によれば、ユーザが操作ユニット３５を介して操作することにより、画像縮小処理を実行させる際に画像を表示させる位置を指定することができる。このため、車両１００の後部座席１０２側のガラスに画像が映り込んだとしても、運転者の後方確認の妨げとならない大きさや位置になるようにリアシート用表示装置１２に画像を表示させる大きさや位置を調整することができるので、運転者の後方確認時の視認性を確保することができる。また、後部座席１０２の乗員の体により車両１００の後部座席１０２側のガラスへの画像の映り込みを遮ることができる大きさや位置に調整することができるので、縮小表示処理を行う際にも可能な限り画像を大きく表示させることができる。
【００４９】
また、上記実施の形態によれば、ユーザは縮小表示処理を行わせる際に、輝度についても指定することができるので、画像の表示サイズ、位置等を調整した上で、輝度を低下させることにより、車両１００の後部座席１０２側のガラスへの画像の映り込みを防いでより後方確認時の視認性を確保することができる。
【００５０】
また、上記実施の形態によれば、車両１００の後退が検出された場合であっても、リアシート用表示装置１２には、通常の大きさの表示領域Ｒよりも小さい領域Ｓになるものの、継続して画像が表示され、また、輝度の急激な低下もないため、車両１００後退時も後部座席１０２の乗員が表示装置に表示される画像を継続して楽しむことができる。
【００５１】
（変形例）
次に、本発明の変形例を説明する。
車両１００の後退が検出された場合に、表示制御装置４０に、図５に示すように縮小表示処理を行わせることができる。
【００５２】
図５に変形例における縮小表示処理について説明する。
図５に示すように、車両１００の後退を後退検出部４１ｂが検出した場合（ステップＳ１１：Ｙ）に、明るさ判別部４１ａにイルミ信号ＳＩが入力されたか否かを判別する（ステップＳ１２）。すなわち、ステップＳ１２において、車両１００の周囲の明るさが所定の明るさよりも暗いと判別された場合（ステップＳ１２：Ｙ）に縮小表示処理をリアシート用画像処理部４６に実行させ、リアシート用表示装置１２に表示させる画像を通常の大きさの表示領域Ｒよりも小さい領域Ｓに表示させるようにする（ステップＳ１３）。車両１００の後退が検出された場合（ステップＳ１１：Ｙ）であっても、イルミ信号ＳＩの入力がなければ（ステップＳ１２：Ｎ）、車両１００の周囲は所定の明るさよりも明るいと判断して、通常の大きさの表示領域Ｒに画像を表示させる（ステップＳ１４）。
【００５３】
以上の変形例における縮小表示処理によれば、車両１００の後退が検出されても、明るさ判別部４１ａにより車両１００の周囲の明るさが所定の明るさよりも暗いと判別されなければ、縮小表示処理を行わないようにすることができる。昼間等、車両１００の周囲が明るい場合には、後部座席１０２側のガラスへの映り込みによる影響が少ないため、運転者の後方確認時の視認性を確保することができ、車両１００の後退が検出されても、通常の大きさの表示領域Ｒに画像が表示されるので後部座席１０２の乗員は継続してリアシート用表示装置１２に表示される画像を楽しむことができる。また、夜間等、車両１００の周囲が暗い場合には、後部座席１０２側のガラスへの映り込みによる影響が生じるので、車両１００の後退が検出された場合には、リアシート用表示装置１２に表示させる画像を通常の表示領域Ｒよりも小さい領域Ｓに表示させて、運転者の後方確認時の視認性を確保するとともに、後部座席１０２の乗員は継続して映像を楽しむことができる。
【００５４】
以上説明した実施の形態に本発明は限定されるものではなく、本発明の趣旨を逸脱しない範囲において適宜変更可能であるのは勿論である。例えば、上記の実施の形態では、リアシート用表示装置１２に表示させる画像信号に対してリアシート用画像処理部４６は縮小表示処理等の画像処理を施すものとして説明したが、本発明はこれに限定されるものではなく、フロントシート用画像処理部４５においてフロントシート用表示装置１１に表示させる画像信号についても同様に縮小表示処理等の画像処理を施してもよいのは勿論である。
【００５５】
また、以上の実施の形態においては、後退検出部４１ｂは車両１００からリバース信号ＳＲが入力されることにより、車両１００の後退を検出するものとして説明しているが、車両１００の後退の検出はこれに限定されるものではない。例えば、ナビゲーション装置３３における位置情報等に基づいて、車両１００の移動方向の変化を検出し、車両１００の後退を判別するようにしてもよい。
【００５６】
また、明るさ判別部４１ａは、車両１００からイルミ信号ＳＩが入力されることにより、車両１００の周囲の明るさが所定の明るさよりも暗いことを判別するようにしているが、フォトダイオード等を用いて、周囲の明るさを直接的に検出してもよいのは勿論である。
【図面の簡単な説明】
【００５７】
【図１】実施の形態の表示制御装置を適用した車載映像表示システムの構成例を示す模式図である。
【図２】実施の形態の車載映像表示システムの機能的構成を示すブロック図である。
【図３】実施の形態の表示装置に画像が表示される領域を説明する図である。
【図４】実施の形態の処理フローチャートである。
【図５】実施の形態の変形例の処理フローチャートである。
【符号の説明】
【００５８】
１  車載映像表示システム
１１、１２  表示装置
４０  表示制御装置
４１  制御部
４１ａ  明るさ判別部
４１ｂ  後退検出部
４１ｃ  表示制御部
４４  映像信号選択部
４５、４６  画像処理部（信号処理部）
Ｒ  表示領域
Ｓ  領域
【図１】
2007230401.tif 000003
【図２】
2007230401.tif 000004
【図３】
2007230401.tif 000005
【図４】
2007230401.tif 000006
【図５】
2007230401.tif 000007